(57)【特許請求の範囲】
【請求項１】
装置本体が、カートリッジを保持する保持部と、該保持部の前方側に設けられ当該保持部に操作可能に支持された操作部とからなり、該操作部を操作して前記保持部に保持された前記カートリッジのヘッドを押下する供給装置であって、
前記保持部が後方側を構成する後面及び該後面の両側部より前方へ向けて延出した保持部側面により前方開口状に形成されるとともに、前記操作部が前方側を構成する前面及び該前面の両側部より後方へ向けて延出した操作部側面により後方開口状に形成された供給装置において、
前記操作部で前記ヘッドを押下する際に、前記操作部側面の縁部が前記保持部側面の縁部に当接した後、該保持部側面に乗り上げて後方開口状の前記操作部が口開きする方向に弾性変形するとともに、弾性変形した状態が前記ヘッドを押下している間維持されるように構成したことを特徴とする供給装置。
【請求項２】
前記操作部の前記操作部側面が前記保持部の前記保持部側面の外側面に沿って移動するように構成するとともに、前記操作部の前記両操作部側面の離間距離が前記保持部へ向かうに従って大きくなるように構成したことを特徴とする請求項１記載の供給装置。
【請求項３】
装置本体が、カートリッジを保持する保持部と、該保持部の前方側に設けられ当該保持部に操作可能に支持された操作部とからなり、該操作部を操作して前記保持部に保持された前記カートリッジのヘッドを押下する供給装置であって、
前記保持部が後方側を構成する後面及び該後面の両側部より前方へ向けて延出した保持部側面により前方開口状に形成されるとともに、前記操作部が前方側を構成する前面及び該前面の両側部より後方へ向けて延出した操作部側面により後方開口状に形成され、当該操作部を操作する際に前記操作部側面が前記保持部の前記保持部側面に沿って移動する供給装置において、
前記操作部側面又は前記保持部側面の少なくともいずれか一方に突出部を設け、
前記操作部で前記ヘッドを押下する際に、前記操作部側面又は前記保持部側面の他方の縁部が前記突出部に当接した後、該突出部に乗り上げて後方開口状の前記操作部が口開きする方向に弾性変形するとともに、弾性変形した状態が前記ヘッドを押下している間維持される位置に前記突出部を配置したことを特徴とする供給装置。
【請求項４】
前記突出部を、前記操作部の移動方向に延在する突条で構成したことを特徴とする請求項３記載の供給装置。
【請求項５】
前記操作部の前記操作部側面が前記保持部の前記保持部側面の外側面に沿って移動するように構成するとともに、前記保持部側面の外側面に前記突出部を設けたことを特徴とする請求項３又は４記載の供給装置。
【請求項６】
前記操作部の前記両操作部側面の離間距離が前記保持部へ向かうに従って大きくなるように構成したことを特徴とする請求項５記載の供給装置。
【請求項７】
前記カートリッジからの薬剤の吐出口が視覚的に遮蔽され外部から視認できないように構成されていることを特徴とした請求項１から６にいずれか記載の供給装置。
【請求項８】
前記ヘッド操作時に前記吐出口から吐出した薬剤を含浸して揮散する含浸体を備えたことを特徴とする請求項７記載の供給装置。
【発明の詳細な説明】
【技術分野】
【０００１】
本発明は、例えば薬剤を供給する供給装置に関する。
【背景技術】
【０００２】
従来、室内や車内を芳香する際には、薬剤としての芳香剤を供給する供給装置が用いられている。
この供給装置としては、レバーやボタン等の操作部を操作して薬剤を送出するプッシュ式のものが知られている（例えば、特許文献１参照。）。
このプッシュ式の供給装置は、カートリッジが装着された本体と、該本体に操作可能に支持された操作部とを備え、該操作部を押圧操作することによって、前記本体に設けられた前記カートリッジのヘッドを押下できるように構成されている。前記カートリッジは、前記ヘッドが押下された際に、前記カートリッジ内の薬剤を前記ヘッドの側面から吐出するように構成されており、この側面から吐出した薬剤を、当該ヘッドを包囲する含浸体に含浸させて揮散できるように構成されている。
【先行技術文献】
【特許文献】
【０００３】
【特許文献１】特願２０１３−１１３８０３号公報
【発明の概要】
【発明が解決しようとする課題】
【０００４】
しかしながら、このようなプッシュ式の供給装置にあっては、薬剤が目に見える形で噴霧されることがない。
このため、使用者は、薬剤が吐出されたことに気づかず、吐出されないと誤認して何度も吐出操作を行ってしまうことがある。また、スプレー式の場合であっても、比較的暗く走行音が発生する例えば車内で使用する際には、薬剤の噴霧に気づかず、何度もスプレー操作する恐れがある。
【０００５】
これらの場合、一回の操作により適量の薬剤を供給できるように設計されているにも拘わらず、多量の薬剤が消費され使用回数が予定より少なくなる、含浸体に含浸しきれなかった過剰な薬剤が外部に漏れ出るという問題が発生し得る。
本発明は、このような従来の課題に鑑みてなされたものであり、不要な操作の繰り返しを未然に防止することができる供給装置を提供することを目的とするものである。
【課題を解決するための手段】
【０００６】
前記課題を解決するために本発明の請求項１の供給装置にあっては、装置本体が、カートリッジを保持する保持部と、該保持部の前方側に設けられ当該保持部に操作可能に支持された操作部とからなり、該操作部を操作して前記保持部に保持された前記カートリッジのヘッドを押下する供給装置であって、前記保持部が後方側を構成する後面及び該後面の両側部より前方へ向けて延出した保持部側面により前方開口状に形成されるとともに、前記操作部が前方側を構成する前面及び該前面の両側部より後方へ向けて延出した操作部側面により後方開口状に形成された供給装置において、前記操作部で前記ヘッドを押下する際に、前記操作部側面の縁部が前記保持部側面の縁部に当接した後、該保持部側面に乗り上げて後方開口状の前記操作部が口開きする方向に弾性変形するとともに、弾性変形した状態が前記ヘッドを押下している間維持されるように構成した。
【０００７】
すなわち、保持部に設けられた操作部を操作してカートリッジのヘッドを押下する際には、第一段階において、前記操作部の操作部側面の縁部が前記保持部の前記保持部側面の縁部に当接する。すると、前記操作部には大きな負荷がかかり、一時的にその操作が重くなる。
そして、前記操作部の操作を続けると、前記操作部側面の内面側の縁部が保持部側面の外側の縁部を乗り越え、第二段階として、前記操作部の前記操作部側面は、前記保持部側面に乗り上げて当該保持部側面に沿って移動を開始する。すると、前述した当接による負荷が解放され、前記操作部の操作が相対的に軽くなる。
【０００８】
このように、前記操作部を操作する際には、当該操作部の操作が重くなった後、前記操作部側面の内面側の縁部が保持部側面の外側の縁部を乗り越え、軽くなることで、操作時のクリック感が得られる。
また、請求項２の供給装置においては、前記操作部の前記操作部側面が前記保持部の前記保持部側面の外側面に沿って移動するように構成するとともに、前記操作部の前記両操作部側面の離間距離が前記保持部へ向かうに従って大きくなるように構成した。
【０００９】
この場合、前記操作部側面の縁部の端面を、前記保持部側面の縁部の端面に対して斜めに当接することができる。これにより、前記操作部端面の角部が、前記保持部側面の端面に当接される。
そして、請求項３の供給装置では、装置本体が、カートリッジを保持する保持部と、該保持部の前方側に設けられ当該保持部に操作可能に支持された操作部とからなり、該操作部を操作して前記保持部に保持された前記カートリッジのヘッドを押下する供給装置であって、前記保持部が後方側を構成する後面及び該後面の両側部より前方へ向けて延出した保持部側面により前方開口状に形成されるとともに、前記操作部が前方側を構成する前面及び該前面の両側部より後方へ向けて延出した操作部側面により後方開口状に形成され、当該操作部を操作する際に前記操作部側面が前記保持部の前記保持部側面に沿って移動する供給装置において、前記操作部側面又は前記保持部側面の少なくともいずれか一方に突出部を設け、前記操作部で前記ヘッドを押下する際に、前記操作部側面又は前記保持部側面の他方の縁部が前記突出部に当接した後、該突出部に乗り上げて後方開口状の前記操作部が口開きする方向に弾性変形するとともに、弾性変形した状態が前記ヘッドを押下している間維持される位置に前記突出部を配置した。
【００１０】
すなわち、保持部に設けられた操作部を操作してカートリッジのヘッドを押下する際には、前記操作部の操作部側面が前記保持部の保持部側面に沿って移動する。
このとき、前記操作部側面又は前記保持部側面の少なくともいずれか一方に突出部が設けられており、第一段階において、前記操作部側面又は前記保持部側面の他方の縁部が前記突出部に当接する。すると、前記操作部には大きな負荷がかかり、一時的にその操作が重くなる。
【００１１】
そして、前記操作部の操作を続けると、前記操作部側面の内面側の縁部が保持部側面の外側の縁部を乗り越え、第二段階として、前記操作部側面又は前記保持部側面の他方が前記突出部に乗り上げて移動を開始する。すると、前述した当接による負荷が解放され、前記操作部の操作が相対的に軽くなる。
このように、前記操作部を操作する際には、当該操作部の操作が重くなった後、前記操作部側面の内面側の縁部が保持部側面の外側の縁部を乗り越え、軽くなることで、操作時のクリック感が得られる。
【００１２】
また、請求項４の供給装置においては、前記突出部を、前記操作部の移動方向に延在する突条で構成した。
すなわち、操作部の操作部側面又は保持部の保持部側面の他方の縁部が当接する突出部は、前記操作部の移動方向に延在する突条で構成されている。
このため、前記突出部の端部が構成する当接部位が摩耗した場合であっても、前記操作部側面又は前記保持部側面の他方の縁部が乗り上げる高さが維持される。
【００１３】
さらに、請求項５の供給装置では、前記操作部の前記操作部側面が前記保持部の前記保持部側面の外側面に沿って移動するように構成するとともに、前記保持部側面の外側面に前記突出部を設けた。
すなわち、操作部の操作部側面は、保持部の保持部側面の外側面に沿って移動するように構成されており、後方開口状に形成された前記操作部は、前記保持部に外嵌する。
【００１４】
そして、前記保持部側面の外側面には、前記突出部が設けられており、前記操作部の前記操作部側面が前記突出部に乗り上げた状態では、後方開口状の前記操作部が口開きする方向に弾性変形する。
このとき、前記操作部には、弾性変形による反力が前記両操作部側面間の開口幅を狭める方向に作用する。
【００１５】
加えて、請求項６の供給装置にあっては、前記操作部の前記両操作部側面の離間距離が前記保持部へ向かうに従って大きくなるように構成した。
この場合、前記操作部側面の縁部の端面を、前記保持部側面の縁部の端面に対して斜めに当接することができる。これにより、前記操作部端面の角部が、前記保持部側面の端面に当接される。
【００１６】
また、請求項７の供給装置においては、前記カートリッジからの薬剤の吐出口が視覚的に遮蔽され外部から視認できないように構成されている。
すなわち、薬剤の吐出口は視覚的に遮蔽されており、外部から視認することができない。
このため、薬剤の吐出状態を視覚的に確認できない場合であっても、操作部を操作する際に得られるクリック感により、操作の確認が行われる。
【００１７】
さらに、請求項８の供給装置では、前記ヘッド操作時に前記吐出口から吐出した薬剤を含浸して揮散する含浸体を備えている。
すなわち、ヘッド操作時に吐出口から吐出した薬剤は、含浸体に含浸された後、揮散される。
このため、スプレー式のように、スプレー音を聴覚で確認したり、薬剤等の噴霧状態を視覚で確認できない場合であっても、操作部を操作する際に得られるクリック感により、操作の確認が行われる。
【発明の効果】
【００１８】
以上説明したように本発明の請求項１の供給装置にあっては、保持部に設けられた操作部を操作してカートリッジのヘッドを押下する際には、前記操作部の操作部側面の縁部が前記保持部の保持部側面の縁部に当接することで大きな負荷を受けた後、前記操作部側面の内面側の縁部が保持部側面の外側の縁部を乗り越え、前記操作部の前記操作部側面が前記保持部側面に乗り上げて移動することにより当接による負荷が解放される。
【００１９】
これにより、前記操作部の操作が重くなった後、前記操作部側面の内面側の縁部が保持部側面の外側の縁部を乗り越え、軽くなるので、操作時のクリック感を得ることができる。
このため、前記カートリッジから薬剤等が目に見える形で噴霧されない場合であっても、前記カートリッジから薬剤等が送出されたことを認識することができる。したがって、不必要な操作の繰り返しを未然に防止することができる。
【００２０】
また、これにより薬剤等が送出されたことに気づかず、何度も操作を繰り返してしまうことを防止できるので、吐出されないと誤認して何度も操作部の操作を繰り返してしまい、多量の薬剤等を送出してしまう恐れがある場合と比較して、使用回数が予定より少なくなる、含浸体に含浸しきれなかった過剰な薬剤が外部に漏れ出るという問題を解決することができる。
【００２１】
また、請求項２の供給装置においては、前記操作部の前記両操作部側面の離間距離が前記保持部へ向かうに従って大きくなるように構成したので、前記操作部側面の縁部の端面を、前記保持部側面の縁部の端面に対して斜めに当接することができる。
これにより、前記操作部側面の端面の角部を、前記保持部側面の端面に当接することができるため、前記操作部側面の前記保持部側面への乗り上げを容易とすることができる。
【００２２】
そして、請求項３の供給装置では、装置本体が、カートリッジを保持する保持部と、該保持部の前方側に設けられ当該保持部に操作可能に支持された操作部とからなり、該操作部を操作して前記保持部に保持された前記カートリッジのヘッドを押下する供給装置であって、前記保持部が後方側を構成する後面及び該後面の両側部より前方へ向けて延出した保持部側面により前方開口状に形成されるとともに、前記操作部が前方側を構成する前面及び該前面の両側部より後方へ向けて延出した操作部側面により後方開口状に形成され、当該操作部を操作する際に前記操作部側面が前記保持部の前記保持部側面に沿って移動する供給装置において、前記操作部側面又は前記保持部側面の少なくともいずれか一方に突出部を設け、前記操作部で前記ヘッドを押下する際に、前記操作部側面又は前記保持部側面の他方の縁部が前記突出部に当接した後、前記操作部側面の内面側の縁部が保持部側面の外側の縁部を乗り越え、該突出部に乗り上げて移動する位置に前記突出部を配置した。
【００２３】
すなわち、保持部に設けられた操作部を操作してカートリッジのヘッドを押下する際には、前記操作部の操作部側面又は前記保持部の保持部側面の他方の縁部が突出部に当接することで大きな負荷を受けた後、前記操作部側面又は前記保持部側面の他方が前記突出部に乗り上げて移動を開始することにより当接による負荷が解放される。
これにより、前記操作部の操作が重くなった後、前記操作部側面の内面側の縁部が保持部側面の外側の縁部を乗り越え、軽くなるので、操作時のクリック感を得ることができる。
【００２４】
このため、前記カートリッジから薬剤等が目に見える形で噴霧されない場合であっても、前記カートリッジから薬剤等が送出されたことを認識することができる。したがって、不必要な操作の繰り返しを未然に防止することができる。
また、これにより薬剤等が送出されたことに気づかず、何度も操作を繰り返してしまうことを防止できるので、吐出されないと誤認して何度も操作部の操作を繰り返してしまい、多量の薬剤等を送出してしまう恐れがある場合と比較して、使用回数が予定より少なくなる、含浸体に含浸しきれなかった過剰な薬剤が外部に漏れ出るという問題を解決することができる。
【００２５】
また、請求項４の供給装置においては、操作部の操作部側面又は保持部の保持部側面の他方の縁部が当接する突出部は、前記操作部の移動方向に延在する突条で構成されている。
このため、前記突出部の端部が構成する当接部位が摩耗した場合であっても、前記操作部側面又は前記保持部側面の他方の縁部が乗り上げる際の高低差を維持することができる。
【００２６】
これにより、操作時のクリック感を維持することでき、経時的劣化を未然に防止することができる。
さらに、請求項５の供給装置では、操作部の操作部側面が保持部の保持部側面の外側面に沿って移動するように構成されており、後方開口状に形成された前記操作部を、前記保持部に外嵌することができる。
【００２７】
そして、前記保持部側面の外側面には、前記突出部が設けられており、前記操作部の前記操作部側面が前記突出部に乗り上げた状態では、後方開口状の前記操作部が口開きする方向に弾性変形する。
このとき、この弾性変形による反力は、両操作部側面間の開口幅を狭める方向に作用するため、前記操作部には、通常位置への戻し方向に力を加えることができる。
【００２８】
これにより、非操作状態での操作部の戻り方向への力を補助することができる。
加えて、請求項６の供給装置にあっては、前記操作部の前記両操作部側面の離間距離が前記保持部へ向かうに従って大きくなるように構成したので、前記操作部側面の縁部の端面を、前記保持部側面の縁部の端面に対して斜めに当接することができる。
【００２９】
これにより、前記操作部端面の角部を、前記保持部側面の端面に当接することができるため、前記操作部側面の前記保持部側面への乗り上げを容易とすることができる。
また、請求項７の供給装置においては、薬剤の吐出口は視覚的に遮蔽されており、外部から視認することができない。
このため、薬剤の吐出状態を視覚的に確認できない場合であっても、操作部を操作する際に得られるクリック感により、操作の確認をおこなうことができる。
【００３０】
これにより、前述した効果が顕著となる。
さらに、請求項８の供給装置では、ヘッド操作時に吐出口から吐出した薬剤を含浸して揮散する含浸体を備えており、吐出した薬剤を、含浸体に含浸させた後、時間をかけてゆっくりと長期に渡って揮散させることができる。
【００３１】
また、吐出した薬剤を、含浸体に含浸させた後、揮散されるため、スプレー式のように、スプレー音を聴覚で確認したり、薬剤等の噴霧状態を視覚で確認できない場合であっても、操作部を操作する際に得られるクリック感により、操作の確認を行うことができる。
したがって、前述した効果が顕著となる。
【図面の簡単な説明】
【００３２】
【図１】本発明の一実施の形態を示す側面図である。
【図２】同実施の形態の操作部の押圧操作を開始した状態を示す説明図である。
【図３】同実施の形態の操作部をさらに押圧操作した状態を示す説明図である。
【図４】同実施の形態の操作部を操作する際の要部の状態を示す説明図である。
【発明を実施するための形態】
【００３３】
以下、本発明の一実施の形態を図に従って説明する。
図１は、本実施の形態にかかる供給装置１を示す図であり、該供給装置１は自動車のエアコンの吹き出し口に取り付けられ車室内に芳香剤を揮散して供給するものである。なお、本実施の形態では、芳香剤を供給する場合を例に挙げて説明するが、消臭剤や殺虫剤、忌避剤、除菌剤等を供給するものであっても良い。
【００３４】
この供給装置１を構成する装置本体１１は、当該装置本体１１の後方側を構成する保持部１２と、当該装置本体１１の前方側を構成する操作部１３とによって構成されている。該操作部１３は、前記保持部１２に操作可能に支持されており、当該操作部１３を操作することで、前記保持部１２に保持されたカートリッジ１４のヘッド１５を押下できるように構成されている。
【００３５】
前記カートリッジ１４は、液状の芳香剤２１が収容された容器体２２と、該容器体２２の口部に取り付けられた前記ヘッド１５とを備えてなり、該ヘッド１５からは、前記容器体２２内へ向けて吸い上げ部２３が延出している。前記ヘッド１５は、下方へ向けて押下できるように構成されており、当該ヘッド１５を押下した際に前記容器体２２内の芳香剤２１を前記吸い上げ部２３より吸い上げて、当該ヘッド１５の側面に設けられた吐出口２４，２４から吐出できるように構成されている。また、押下された前記ヘッド１５は、その操作力が解除された際に、内蔵するスプリングのバネ力によって元の位置へ復帰するように構成されている。
【００３６】
前記ヘッド１５には、円筒状の含浸体３１が設けられており、前記ヘッド１５は、その周面が前記含浸体３１によって包囲されている。これにより、前記吐出口２４，２４が視覚的に遮蔽され外部から視認できないように構成されている。
ここで、本実施の形態では、前記吐出口２４，２４が前記含浸体３１で包囲されることによって視覚的に遮蔽され外部から視認できないように構成された場合を例に挙げて説明するが、この構成に限定されるものでは無く、例えば前記吐出口２４，２４がカバーで覆われるなどして視覚的に遮蔽され外部から視認できないように構成された場合であっても良い。
【００３７】
この含浸体３１は、前記吐出口２４，２４から吐出された芳香剤２１を含浸できるように構成されており、その含浸量は、前記ヘッド１５を複数回押下した際に前記吐出口２４，２４から吐出される芳香剤２１を十分に保持できるように設計されている。
これにより、前記ヘッド１５を押下した際には、吐出された芳香剤２１を前記含浸体３１に含浸させた後、自然揮散させるとともに、エアコン作動中には、エアコンからの風によって含浸した芳香剤２１をゆっくりと所定時間にわたって揮散できるように構成されている。
【００３８】
前記保持部１２は、前記装置本体１１の後方側を構成する後面４１と該後面４１の両側縁より前方へ向けて延出した保持部側面４２（一方のみ図示）とによって、その水平断面が前方へ向けて開口したコ字状に形成されており、前記後面４１に設けられた取付穴４３には、クリップ４４の係合軸４５が挿入された状態で回動可能に固定されている。該クリップ４４は、その先端部が二股に分かれており、自動車のエアコンの吹き出し口に設けられたルーバーを挟持した状態で当該装置本体１１を吹き出し口に取り付けられるように構成されている。
【００３９】
この保持部１２の前記後面４１の下縁と前記両保持部側面４２の下縁とは、底面５１で連設されており、該底面５１には、円形の装着穴５２が形成されている。該装着穴５２は、その一部が前記底面５１の前方へ向けて開口しており、この開口部分から前記カートリッジ１４の口部を挿入することで、当該カートリッジ１４を交換可能に取り付けられるように構成されている。
【００４０】
前記後面４１には、後方へ向けて突出した一対の縦リブ６１が上下に延設されており（一方のみ図示）、両縦リブ６１は、離間して設けられるとともに、前記後面４１の幅方向中央部に配置されている。両縦リブ６１の上端部は、前記後面４１より上方へ突出しており、前記両縦リブ６１の上縁は、連設部６２で連設され補強されている。前記後面４１より上方へ突出した両縦リブ６１の上端部には、円形の軸支穴６３が設けられており、各軸支穴６３は、その一部が後方へ向けて開口し、軸の装着が可能とされている。
【００４１】
前記各保持部側面４２の外側面には、突出部７１が設けられている（一方のみ図示）。該突出部７１は、長方形状に形成されており、前記保持部側面４２の前縁から後方へ向けて延出する突条で構成されている。
前記操作部１３は、前記装置本体１１の前方側を構成する前面１０１と、該前面１０１の両側縁より後方へ向けて延出した操作部側面１０２（一方のみ図示）とを備えており、前記前面１０１は、幅方向中央部が前方へ向けて膨出した湾曲状に形成されている。これにより、当該操作部１３は、その水平断面が後方へ向けて開口したＵ字状に形成されており、前記前面１０１の上縁と前記操作部側面１０２の上縁とは、天面１０３により連設されている。
【００４２】
前記各操作部側面１０２は、その縁部１１１が前記前面１０１下縁から前記天面１０３後縁に向かって斜めに延在するように構成されており、当該縁部１１１は、その中央部が外側に突出した緩やかな円弧状に形成されている。
前記天面１０３の後縁部には、斜め上方へ向けて延出する一対の支持片１２１が幅方向中央部に設けられており、両支持片１２１の先端部には、円柱状の回転軸１２２が架橋されている。この回転軸１２２は、前記保持部１２に設けられた前記軸支穴６３に回動自在に係止できるように構成されている。
【００４３】
これにより、前記回転軸１２２を前記軸支穴６３に係合することで、前記操作部１３は、前記保持部１２に支持されるように構成されており、前記回転軸１２２を中心として回動できるように構成されている。
前記操作部１３の前記天面１０３には、下方に延出する押下板１３１が設けられており、該押下板１３１は、当該天面１０３の幅方向中央部に配置されている。前記押下板１３１は、長方形の板状に形成されており、後部側の角部の縁部が円弧状に形成されている。
【００４４】
これにより、前記操作部１３の前記前面１０１を指で押圧操作した際には、当該操作部１３が前記回転軸１２２を中心に回動することで、図１から図３に示すように、前記押圧板１３１が下動し、前記保持部１２にセットされた前記カートリッジ１４の前記ヘッド１５を押下して前記芳香剤２１を前記吐出口２４，２４から吐出できるように構成されている。
【００４５】
前記操作部１３の一方の操作部側面１０２の内側面から他方の操作部側面１０２の内側面までの離間距離は、前記保持部１２の一方の保持部側面４２の外側面から他方の保持部側面４２の外側面までの幅寸法と略同一あるいはやや大きめに設定されており、前記操作部１３を操作して前記ヘッド１５を押下する際に、前記操作部側面１０２が前記保持部１２の前記保持部側面４２の外側面に沿って移動するように構成されている。
【００４６】
このとき、前記操作部側面１０２の縁部１１１は、図２に示したように、前記保持部側面４２の縁部１４１、具体的には前記保持部側面４２に突設された前記突出部７１先端に当接するように構成されており、その後、前記操作部側面１０２は、図３に示したように、前記突出部７１に乗り上げて該突出部７１に摺接しながら移動するように当該突出部７１が配置されている。これにより、この突出部７１は、前記操作部１３の移動方向に延在するように構成されている。
【００４７】
以上の構成にかかる本実施において、保持部１２に設けられた操作部１３の前面１０１を押圧操作してカートリッジ１４のヘッド１５を押下する際には、前記操作部１３の操作部側面１０２が前記保持部１２の保持部側面４２に沿って移動する。
このとき、前記保持部側面４２には突出部７１が設けられており、図４に示したように、非操作状態の初期段階２０１で離れていた前記操作部側面１０２の縁部１１１が前記突出部７１に近づき、第一段階２０２において、前記操作部側面１０２の縁部１１１の端面１０２ａが前記突出部７１の端面７１ａに当接する（図２参照）。すると、前記操作部１３には大きな負荷がかかり、一時的にその操作が重くなる。
【００４８】
そして、前記操作部１３の操作を続けると、前記操作部側面１０２の内面側の縁部が、保持部側面の外側の縁部１４１を乗り越え、第二段階２０３として、前記操作部側面１０２が前記突出部７１に乗り上げて移動を開始する（図３参照）。すると、前述した当接による負荷が解放され、前記操作部１３の操作が相対的に軽くなる。
このように、前記操作部１３を操作する際には、当該操作部１３の操作が重くなった後、前記操作部側面１０２の内面側の縁部が、保持部側面の外側の縁部１４１を乗り越え、軽くなることで、操作時のクリック感を得ることができる。
【００４９】
このため、前記カートリッジ１４から芳香剤２１が目に見える形で噴霧されない場合であっても、前記カートリッジ１４から芳香剤２１が吐出されたことを認識することができる。したがって、不必要な操作の繰り返しを未然に防止することができる。
また、これにより芳香剤２１が吐出されたことに気づかず、何度も操作を繰り返してしまうことを防止できるので、何度も操作部１３の操作を繰り返してしまい、多量の芳香剤２１を吐出してしまう恐れがある場合と比較して、使用回数が予定より少なくなる、含浸体に含浸しきれなかった過剰な薬剤が外部に漏れ出るという問題を解決することができる。
【００５０】
このとき、前記突出部７１は、前記操作部１３の移動方向に延在する突条により構成されている。
このため、前記突出部７１の端部が構成する当接部位が摩耗した場合であっても、前記操作部側面１０２の縁部１１１が乗り上げる際の高低差を維持することができる。これにより、操作時のクリック感を維持することでき、経時的劣化を未然に防止することができる。
【００５１】
さらに、前記操作部１３の操作部側面１０２は、前記保持部１２の保持部側面４２の外側面に沿って移動するように構成されており、後方開口状に形成された前記操作部１３を、前記保持部１２に外嵌することができる。
これにより、前記保持部１３に前記操作部側面１０２が進入する溝構造等を設ける必要が無く、構造の簡素化を図ることができる。また、前記カートリッジ１４の挿脱を可能とするために設けられた前方開口部を前記保持部１３で覆うことができ、保持されたカートリッジ１４の露出を防止することができる。
【００５２】
そして、前記保持部側面４２の外側面には、前記突出部７１が設けられており、前記操作部１３の前記操作部側面１０２が前記突出部７１に乗り上げた状態では、後方開口状の前記操作部１３が口開きする方向に弾性変形する（図４の第二段階２０３参照）。
このとき、前記操作部１３には、ヘッド１５に対する操作力が解除された際に、内蔵するスプリングのばね力によって前記ヘッド１５が元の位置へ復帰するときの反力に加え、弾性変形による反力が前記両操作部側面１０２間の開口幅を狭める方向に作用するので、前記操作部１３には、非操作状態で位置する通常位置への戻し方向に力を加えることができる。
【００５３】
これにより、非操作状態での前記操作部１３の戻り方向への力を補助することができる。
そして、前記ヘッド１５は含浸体３１で包囲されており、前記ヘッド１５に開設された吐出口２４，２４は、視覚的に遮蔽され外部から視認することができない。
このため、前記芳香剤２１の吐出状態を視覚的に確認できない場合であっても、前記操作部１３を操作する際に得られるクリック感により、操作の確認をおこなうことができる。
【００５４】
これにより、前述した効果が顕著となる。
また、前記ヘッド１５を包囲する前記含浸体３１は、前記カートリッジ１４から吐出した芳香剤２１を含浸して揮散する。このため、該ヘッド１５から吐出した芳香剤２１を、前記含浸体３１に含浸させた後、揮散することができる。
【００５５】
このため、前記ヘッド１５から吐出した芳香剤２１を、前記含浸体３１に保持しつつ、時間をかけてゆっくりと長期に渡って揮散させることができるので、暖気や冷気が吹き付けられるエアコンの吹き出し口での使用に適している。
また、前記芳香剤２１を前記含浸体３１に含浸させた後、揮散されるため、スプレー式のように、スプレー音を聴覚で確認したり、芳香剤２１の噴霧状態を視覚で確認できない場合であっても、前記操作部１３を操作する際に得られるクリック感により、操作の確認を行うことができる。
【００５６】
したがって、本実施の形態にあっては、前述した効果が顕著となる。
なお、本実施の形態にあっては、芳香剤２１を含浸体３１に含浸させた後に揮散する場合を例に挙げたが、この構造に限定されるもので無く、例えば薬剤が噴霧されるスプレー式の場合であっても、騒音によりスプレー音が聞こえなかったり、暗いため噴霧状態を目視できない場合であっても、操作時のクリック感により、操作の確認を行えるので、前述した効果を得ることができる。
【００５７】
また、本実施の形態では、前記保持部側面４２に前記突出部７１を設け、前記操作部１３操作時に前記操作部側面１０２の縁部１１１が前記突出部７１に当接した後、該突出部７１に乗り上げて移動するように構成した場合を例に挙げて説明したが、これに限定されるもので無く、例えば、前記操作部側面１０２に前記突出部を設け、前記操作部１３操作時に前記保持部側面４２の縁部が前記突出部に当接した後、該突出部に乗り上げて移動するように構成しても良い。
【００５８】
さらに、本実施の形態にあっては、前記操作部１３の前記操作部側面１０２が前記保持部１２の前記保持部側面４２の外側面に沿って移動するように構成するとともに、前記保持部側面４２の外側面に前記突出部７１を設けた場合を例に挙げて説明したが、これに限定されるもので無く、例えば、前記操作部１３の前記操作部側面１０２が前記保持部１２の前記保持部側面４２の内側面に沿って移動するように構成した場合、前記保持部側面４２の内側面に前記突出部７１を設けても良い。
【００５９】
また、本実施の形態にあっては、前記操作部側面１０２の縁部１１１が前記保持部側面４２に突設された前記突出部７１先端に当接するように構成した場合を例に挙げて説明したが、これに限定されるものでは無く、例えば前記保持部側面４２に前記突出部７１を形成しない場合には、前記操作部側面１０２の縁部１１１の端面１０２ａが前記保持部側面４２の縁部１４１の端面４２ａに当接するように構成し、前記操作部１３で前記ヘッド１５を押下する際に、前記操作部側面１０２の縁部１１１が前記保持部側面４２の縁部４２ａに当接した後、該保持部側面４２に乗り上げて当該保持部側面４２に沿って移動するように構成しても良い。
【００６０】
この場合、前記操作部側面１０２の前記縁部１０２ａが前記保持部側面４２の縁部４２ａに当接することで大きな負荷を受けた後、前記操作部側面１０２が前記保持部側面４２に乗り上げて移動することにより当接による負荷が解放される。これにより、前記操作部１３の操作が重くなった後、軽くなるので、操作時のクリック感を得ることができる。
【００６１】
よって、前述と同様の効果を得ることができる。
このとき、前記保持部側面４２の前記端面４２ａへの前記操作部側面１０２の前記端面１０２ａの当接位置をずらすことによって、前記操作部側面１０２の前記端面１０２ａの一部が前記保持部側面４２の前記端面４２ａに当接するように構成することで、前述した乗り上げを容易とすることができる。
【００６２】
また、前記操作部１３の前記両操作部側面１０２の離間距離が前記保持部１２へ向かうに従って大きくなるように構成することで、前記操作部側面１０２の縁部１１１の端面１０２ａを、前記保持部側面４２の縁部１４１の端面４２ａに対して斜めに当接することができる。
これにより、前記操作部側面１０２の端面１０２ａの角部を、前記保持部側面４２の端面４２ａに当接することができるため、前記操作部側面１０２の前記保持部側面４２への乗り上げを容易とすることができる。
【符号の説明】
【００６３】
１    供給装置
１１    装置本体
１２    保持部
１３    操作部
１４    カートリッジ
１５    ヘッド
２４    吐出口
３１    含浸体
４１    後面
４２    保持部側面
７１    突出部
１０１    前面
１０２    操作部側面
１１１    縁部
１４１    縁部
【図１】
0006353348.tif 000002
【図２】
0006353348.tif 000003
【図３】
0006353348.tif 000004
【図４】
0006353348.tif 000005